(57)【要約】      （修正有）【課題】通気空間を広く確保でき、通気作用のより効率化を図り、且つ施工が容易な家屋の屋根裏の通気方法及び屋根裏の通気構造を提供する。【解決手段】屋根垂木２を架設する母屋１間に透湿加工を施した遮熱材３を屋根垂木２の下面に当着して被設する。隣り合う屋根垂木２及び前記遮熱材３と野地板４との間に通気空間を形成する。軒先側を折曲垂下した前記遮熱材３の下端部を母屋１の対向面に当着し、母屋１に架設した屋根垂木２との非当接下面空間を閉塞し、当該空間を屋根垂木２の両側に形成した通気空間の連通口とした。【選択図】図１
2020133220.tif 000002
【特許請求の範囲】
【請求項１】
屋根垂木を架設する母屋間に透湿加工を施した遮熱材を屋根垂木の下面に当着して被設し、隣り合う屋根垂木及び前記遮熱材と野地板との間に通気空間を形成し、軒先側を折曲垂下した前記遮熱材の下端部を母屋の対向面に当着し、母屋に架設した屋根垂木の非当接空間を閉塞し、当該空間を屋根垂木の両側に形成した通気空間の連通口としたことを特徴とする屋根裏の通気方法。
【請求項２】
屋根垂木を架設する母屋間の屋根垂木の下面に透湿加工を施した遮熱材を備え、隣り合う屋根垂木及び前記遮熱材と野地板との間に通気空間を形成したこと、前記遮熱材は軒先側の下端部が折曲垂下しており、かつ前記下端部は架設した屋根垂木の非当接空間を閉塞する状態で母屋の対向面に当着されており、当該非当接空間を屋根垂木の両側に形成した前記通気空間の連通口としたことを特徴とする屋根裏の通気構造。
【請求項３】
遮熱材は段ボール紙の少なくとも一面に、アルミニウム箔またはアルミニウム蒸着樹脂フィルムからなる反射層が貼合されていることを特徴とする請求項２に記載の屋根裏の通気構造。
【請求項４】
遮熱材の透湿加工は、表裏面を貫通する点又は線の規則的なスリットで形成されていることを特徴とする請求項１又は２に記載の屋根裏の通気構造。
【発明の詳細な説明】
【技術分野】
【０００１】
本発明は、太陽により加熱された家屋屋根からの熱が室内へ伝わること、及び湿気による結露を防止する家屋の屋根裏の気方法及び屋根裏の通気構造に関する。
【背景技術】
【０００２】
太陽により加熱された家屋屋根からの熱が室内へ伝わることを防止するため、家屋の屋根裏に遮熱材や断熱材を施すことが一般的に行われている。
また、遮熱や断熱と共に湿気の排出ができずに冬季等に生じる結露を防止する目的で、通気性を有する断熱材の室外側に通気層を設けた構築が採られている。
【０００３】
遮熱や断熱目的で屋根裏に断熱材等を施す場合において、断熱材の室外側（屋根側）に通気層を確保する施工方法が考えられている。
特開２００１−２２７０８０号公報では、屋根裏の断熱施工の際に、野地板と断熱材との間に通気層を確保するための通気層確保部材を、所定の寸法に形成した通気性を有する板状部材の両端部を２箇所で折り返し山状凸部を形成し、これら折り返した両端部をばね状にして垂木間に室内側から山状凸部の頂部が野地板に当たるまで嵌め込むことにより、野地板と板状部材の上下間に空間を形成して垂木間に通気層を設けたものである。
【０００４】
また、特開２００７−１３８４０９号公報では、上板紙と下板紙との間に波板紙を挟持してなる段ボール紙の少なくとも一方の面に、アルミニウム箔またはアルミニウム蒸着樹脂フィルムからなる反射層が貼合した遮熱シートとし、前記遮熱シートの短辺（幅）が、隣接する垂木の内側側面同士の間隔よりも大であって、該遮熱シートの両端部を、遮熱シートの水平面に対して略直角に折り曲げ、折り曲げ片を隣接する垂木の側面に当接させ、折り曲げられた遮熱シートの折り曲げ反発力により遮熱シートが隣接する垂木の側面間に保持されるようにしたものであり、前記と同様に垂木間の野地板と遮熱シートの上下間に空間を形成して通気層としたものである。
【先行技術文献】
【特許文献】
【０００５】
【特許文献１】特開２００１−２２７０８０号公報
【特許文献２】特開２００７−１３８４０９号公報
【発明の概要】
【発明が解決しようとする課題】
【０００６】
上記従来の工法及び構造は、垂木の間に、垂木上面の野地板とに空間を形成して板状部材や遮熱シート材を嵌合し、この空間を通気層とし、熱気や湿気を屋根勾配の傾斜に沿って上昇させて棟換気を行うものである。
したがって、垂木の間に部材を嵌合して通気層を形成するものであるから、通気層の幅は垂木の間隔より狭く、高さは垂木の厚さより低くならざるを得ず制約を受けること、また、部材やシート材と野地板とで隙間が生じないように確固たる空間を形成する嵌合状態を維持すること等、シート材等の構造と施工作業の熟練が必要とされ、さらなる容易化が望まれるところである。
【０００７】
本発明は、通気空間を広く確保でき、通気作用のより効率化を図り、且つ施工が容易な家屋の屋根裏の通気方法及び屋根裏の通気構造を提供せんとするものである。
【課題を解決するための手段】
【０００８】
本発明の請求項１の屋根裏の通気方法は、屋根垂木を架設する母屋間に透湿加工を施した遮熱材を屋根垂木の下面に当着して被設し、隣り合う屋根垂木及び前記遮熱材と野地板との間に通気空間を形成し、軒先側を折曲垂下した前記遮熱材の下端部を母屋の対向面に当着し、母屋に架設した屋根垂木との非当接空間を閉塞し、当該空間を屋根垂木の両側に形成した通気空間の連通口としたことを特徴とするものである。
【０００９】
本発明の請求項２の屋根裏の通気構造は、屋根垂木を架設する母屋間の屋根垂木の下面に透湿加工を施した遮熱材を備え、隣り合う屋根垂木及び前記遮熱材と野地板との間に通気空間を形成したこと、前記遮熱材は軒先側の下端部が折曲垂下しており、かつ前記下端部は架設した屋根垂木との非当接空間を閉塞する状態で母屋の対向面に当着されており、当該非当接空間を屋根垂木の両側に形成した前記通気空間の連通口としたことを特徴とするものである。
【００１０】
前記請求項２の屋根裏の通気構造において、遮熱材は段ボール紙の少なくとも一面に、アルミニウム箔またはアルミニウム蒸着樹脂フィルムからなる反射層が貼合されていること、遮熱材の透湿加工は、表裏面を貫通する点又は線の規則的なスリットで形成されているものとしてもよい。
【発明の効果】
【００１１】
本発明方法は、遮熱材を母屋間の屋根垂木の下面に当着して施工するものであるから、屋根垂木間に嵌合して施工する方法に比べてより容易且つ効率的に施工できる効果を有する。
そして、屋根垂木間の幅及び厚みである野地板との上下間の空間を屋根傾斜方向に沿った通気空間として利用できるため、従来工法及び構造に比べて大きな断面積を得られる効果を有する。
【００１２】
更に、遮熱材を母屋間の屋根垂木の下面に当着したため、母屋頂面と架設した屋根垂木とに生じた軒先側の非当接空間を、軒先側を折曲垂下した前記遮熱材の下端部を母屋の対向面に当着して閉塞することで、当該非当接空間から断熱材やごみ等の通気空間への侵入を阻止する効果を有する。
加えて、前記非当接空間が屋根垂木の両側に形成した前記通気空間の連通口と成り、屋根垂木間の各屋根傾斜方向の通気空間を連通することとなり、全通気空間が協働して効率的に通気を行える効果も発揮する。
【００１３】
遮熱材の基材として段ボール紙の利用は従来から採用されており、少なくとも一面にアルミニウム箔またはアルミニウム蒸着樹脂フィルムの反射層を貼合することで、赤外線を反射して遮熱できること、遮熱材の表裏面を貫通する点又は線の規則的なスリットを形成して透湿加工を容易におこなえると共に、排湿作用が大きいこと等の効果を得られる。
【図面の簡単な説明】
【００１４】
【図１】本発明の一実施の形態を示す断面図である。
【図２】図１の要部拡大図である。
【図３】屋根瓦を省略した図２のＡ−Ａ線断面図である。
【図４】遮熱材の平面図である。
【図５】遮熱材の断面図である。
【発明を実施するための形態】
【００１５】
発明の実施の形態を図面に基づいて説明する。
図１は本発明の一実施の形態を示す断面図であり、図２は要部拡大図である。屋根垂木２，２・・・を架設する母屋１，１間の屋根垂木２，２・・・の下面に透湿加工を施した遮熱材３が当着され、前記遮熱材３は軒先側の下端部３１が折曲垂下しており、前記下端部３１は架設した屋根垂木２との非当接空間を閉塞する状態で母屋１，１の対向面１１に当着されている。
【００１６】
すなわち、配置された母屋１，１・・・の対応する軒先側を切除した頂部面１２に接して、屋根垂木２，２・・・が屋根傾斜角度に架設されており、前記切除した以外の非当接頂部面１３と屋根垂木２とは非当接面となっている。
また、当該屋根垂木２，２・・・の上面には野地板４が敷設されている。
【００１７】
母屋１，１間の屋根垂木２の下面に当着する透湿加工を施した遮熱材３は、隣り合う母屋１，１間よりも長い巾長とし、超過部を折曲垂下した下端部３１を備え、当該下端部３１を軒先側として母屋１，１間に遮熱材３被設して屋根垂木２へタッカーで固定する。
また、前記遮熱材３の軒先側の下端部３１を内折ミシン目１４で折曲垂下し、母屋１の対向面１１にタッカーで固定当着して母屋１の頂部面との隙間を閉塞する。
【００１８】
上記の作業を母屋１，１間の屋根垂木２の下面に施すことにより、隣り合う屋根垂木２，２及び前記遮熱材３と野地板４との間に通気空間５を形成することができ、当該通気空間５を縦方向通気層として屋根裏の換気作用（矢印イ）を行うものである。
また、母屋頂部面と架設した屋根垂木２とに生じた軒先側の非当接頂部面１３を、軒先側を折曲垂下した前記遮熱材３の下端部３１で閉塞することで、当該非当接空間から断熱材やごみ等の通気空間（縦方向通気層）５への侵入を阻止し、屋根垂木２の両側に形成した前記通気空間（縦方向通気層）５，５の連通口（横方向通気層）６と成り、屋根垂木２，２間の各屋根傾斜方向の通気空間（縦方向通気層）５を連通して通気（矢印ロ）し、全通気空間（縦方向通気層）５，５・・・が協働して通気を行うものとなる。
【００１９】
遮熱材３は基材として段ボール紙の利用しており、少なくとも一面にアルミニウム箔又はアルミニウム蒸着樹脂フィルム７の反射層を貼合してある。
アルミニウム箔又はアルミニウム蒸着樹脂フィルム７赤外線を反射して遮熱作用を奏し、屋根垂木２，２・・・の下面への当着に際しては、野地板４に面すように施工する。
【００２０】
遮熱材３には透湿加工が施されており、遮熱材３の表裏面を貫通する点又は線の規則的なスリット８で形成されている。
アルミニウム箔又はアルミニウム蒸着樹脂フィルム７による熱反射作用と、スリット８による透湿作用による結露を防止するものである。
遮熱材３の下面にはウレタン吹き付け等による断熱材層９が施されている。
【００２１】
以上のように、図面に基づいて本発明を説明したけれど、この実施の形態における具体的構成は一例であり、同様の作用効果を得られる他の構成又は手段を排除するものではない。
【符号の説明】
【００２２】
１      母屋
１１    対向面
１２    切除した頂部面
１３    非当接頂部面
２      屋根垂木
３      遮熱材
３１    下端部
４      野地板
５      通気空間（縦方向通気層）
６      連通口（横方向通気層）
７      アルミニウム蒸着樹脂フィルム
８      スリット
９      断熱材
１４    内折ミシン目
イ、ロ  通気方向
【図１】
2020133220.tif 000003
【図２】
2020133220.tif 000004
【図３】
2020133220.tif 000005
【図４】
2020133220.tif 000006
【図５】
2020133220.tif 000007